【手続補正書】
【提出日】平成24年10月30日(2012.10.30)
【手続補正１】
【補正対象書類名】特許請求の範囲
【補正対象項目名】請求項１
【補正方法】変更
【補正の内容】
【請求項１】
皮膚より採取した角層細胞の性状値である配列規則性及び／又は剥がれ具合を指標として、肌の奥行き感を鑑別することを特徴とする、肌の奥行き感の鑑別法。
【手続補正２】
【補正対象書類名】明細書
【補正対象項目名】０００３
【補正方法】変更
【補正の内容】
【０００３】
かような「肌の美しさ」というものは、数々の要素が複合的に関連し合って形成されるものであり、肌の評価の専門家が、専門的知識に基づいて測定結果を分析したり、視覚的官能評価を行うことが必要であった。その場合には、複数の肌評価の専門家、その育成・訓練やさらに収集したデータ分析も必要であり、視覚的な「肌の美しさ」を的確、且つ簡便に評価することは困難であった。このため、「肌の美しさ」の客観的評価技術として、皮膚表面性状に着目した測定・評価法や装置が存する。例えば、複数の光の反射率を解析して皮膚の質感・つやを評価する方法・装置（例えば、特許文献１参照）、自然光の特性であるＳ偏光とＰ偏光を利用した皮膚の質感の観察方法・装置（例えば、特許文献２参照）、皮膚のステレオ画像から算出された凹凸量を指標に皮膚の質感を評価するシステム（例えば、特許文献３参照）、皮膚表面反射光の年齢による成分強度の差を指標とした老化度合いの質感の簡便な測定法（例えば、特許文献４参照）、皮膚の起伏値や表色系画像信号に内在するフラクタル特性を用いた肌の美しさの推定方法（例えば、特許文献５参照）等が開示されている。かような方法は科学性を有する反面、測定装置が高価であるという難点が存した。
【手続補正３】
【補正対象書類名】明細書
【補正対象項目名】０００７
【補正方法】変更
【補正の内容】
【０００７】
本発明はかような状況下で為されたものであり、肌状態の鑑別、特にこれまで明らか
にされていなかった「肌の美しさ」の大きな要因である「肌の奥行き感」を明らかにし
この「肌の奥行き感」を客観的な数値に置換する、簡便且つ高精度に評価できる技術を
提供することを課題とする。
【手続補正４】
【補正対象書類名】明細書
【補正対象項目名】０００９
【補正方法】変更
【補正の内容】
【０００９】
（１）皮膚より採取した角層細胞の性状値である配列規則性及び／又は剥がれ具合を指標として、肌の奥行き感を鑑別することを特徴とする、肌の奥行き感の鑑別法。
（２）さらに、内部反射光量を指標として用いることを特徴とする、（１）に記載の肌の奥行き感の鑑別法。
（３）肌の奥行き感と前記角層細胞の性状値、或いは、肌の奥行き感と前記角層細胞の性状値及び内部反射光量との多変量解析の結果を指標として用いることを特徴とする、（１）又は（２）に記載の肌の奥行き感の鑑別法。
（４）（１）〜（３）何れか１つに記載の肌の奥行き感の鑑別法を用いることを特徴とする、メークの仕上がり感の鑑別法。
【手続補正５】
【補正対象書類名】明細書
【補正対象項目名】００１０
【補正方法】変更
【補正の内容】
【００１０】
本発明によれば、簡便且つ高精度に、肌の美しさの大きな要因である「肌の奥行き感」を客観的な数値として評価できる。また、メークの仕上がり感についても同様に評価でき、メーク素材の仕上がり効果も評価できる。
【手続補正６】
【補正対象書類名】明細書
【補正対象項目名】００１２
【補正方法】変更
【補正の内容】
【００１２】
本発明の「肌の奥行き感」とは、肌のトラブル要因である、シミ、シワ、ニキビや赤み等が同じようなレベルであっても、「肌の美しさ」は全く異なる事象に基づいて形成された評価概念である（図２参照）。即ち、図２に示すように「肌の美しさ」に大差を生じさせる大きな要因は、後述する「積層規則性」の良否によって「内部反射光量」が影響された結果、肌の内部より感じる奥行き（立体感）のある輝きの程度が増減することに起因している。従って、ここでいう「肌の奥行き感」とは、肌の透明感と肌の内からの輝き感の両要素を持つ状態の程度と定義でき、この程度を数値化することで評価しうる。具体的には、予め訓練された複数の専門評価者によって繰り返し評価を行って、３〜１０ランクの「肌の奥行き感」の基準画像表（図３参照）を作製しておけば、該基準画像表を用いて容易且つ精度良く評価される。
【手続補正７】
【補正対象書類名】明細書
【補正対象項目名】００１３
【補正方法】変更
【補正の内容】
【００１３】
前記角層細胞の採取方法としては、定法により皮膚よりテープストリッピング法によって採取した後、ゲンチアナバイオレットやブリリアントグリーン等によって染色したものを用いることもできるし、また、染色せずに非染色のまま用いることもできる。角層細胞の性状値としては、角層細胞の配列規則性、面積、体積、厚さ或いは剥がれ具合等が例示でき、これらの内で、配列規則性及び／又は剥がれ具合が指標として特に好ましい。
【手続補正８】
【補正対象書類名】明細書
【補正対象項目名】００１５
【補正方法】変更
【補正の内容】
【００１５】
かように標準画像を用いて、訓練された専門の評価者によってランクを付けることも可能であるが、角層細胞の配列規則性や剥がれ具合を自動的に評価できる方法・装置（例えば、特許文献９、特許文献１０参照）を用いる方が高速且つ高精度であることからより好ましい。
【手続補正９】
【補正対象書類名】明細書
【補正対象項目名】００１６
【補正方法】変更
【補正の内容】
【００１６】
角層の「積層規則性」を示す断面（図５参照）では、入射光に対し表面では表面反射光を、二層や三層などでは内部反射光を存し、多重屈折現象が生じる。「積層規則性」が良好である角層細胞、言い換えれば、配列規則性が良好であるほど、内部反射光量が多く、そのとき、肌の内部より感じる奥行き感（立体感）のある輝きの程度がより大きいことを本願発明者らは見出した（図６参照）。即ち、「肌の奥行き感」と角層細胞の性状値である配列規則性、剥がれ具合及び内部反射光量等の指標とは、良好な相関関係を有することが明らかになった。さらに、「肌の奥行き感」と前述の肌の指標とを多変量解析、例えば、重回帰分析、判別分析或いは数量化理論一類等を用いて予測式を予め作製しておけば、後述する実施例に示すように、前述の肌の指標より、簡便且つ高精度に、「肌の奥行き感」を客観的な数値として推定できる。
【手続補正１０】
【補正対象書類名】明細書
【補正対象項目名】００１８
【補正方法】変更
【補正の内容】
【００１８】
メークやメーク素材の仕上がり感についても同様に評価できる。即ち、「肌の奥行き感」を上昇させるようなメーク素材、具体的なイメージを示すならば、積層規則性を有する構造粉体を作製して頬部の片方に塗布した後、頬部を一対比較して「肌の奥行き感」を評価すればよい。「肌の奥行き感」で評価値がアップすれば、角層細胞の性状値が同じであることから、評価値のアップはメーク素材の効果であることが明らかである。さらに、後述する実施例で示すように、「肌の奥行き感」の予測式に当てはめれば、評価値のアップ分は角層細胞の性状値の向上分に相当する。言い換えれば、メーク素材による角層細胞の配列規則性の改善と言うこともでき、このようにして、メーク素材の機能評価やスクリーニングにも利用できる。かような鑑別や評価も本願発明の範疇に属するものである。
【手続補正１１】
【補正対象書類名】明細書
【補正対象項目名】００２７
【補正方法】変更
【補正の内容】
【００２７】
【図１】ホタテ貝における積層規則性を示す図である（図面代用写真）。
【図２】角層配列規則性が異なる頬部を示す図である（図面代用写真）。
【図３】「肌の奥行き感」の１０ランクの基準写真を示す図である（図面代用写真）。
【図４】配列規則性の４ランクの基準写真を示す図である（図面代用写真）。
【図５】積層規則性と内部反射光との関係を示す図である。
【図６】配列規則性と内部反射光量との関係を示す図である（図面代用写真）。
【図７】実施例２の結果で、肌の奥行き感（実測値）と角層の配列規則性、剥がれ具合及び内部反射光量による予測値との相関関係（検量線）を示す図である。